(57)【特許請求の範囲】
【請求項１】
第１の光学系と、
この第１の光学系によって結像された画像を撮影動作位置において電子的に現像する電子現像型記録媒体と、
この電子現像型記録媒体を照明する光源と、
前記光源による照明によって前記電子現像型記録媒体を透過もしくは反射した光の経路の途中に設けられた第２の光学系と、
この第２の光学系による前記画像の結像面であって、かつ前記電子現像型記録媒体が前記撮影動作位置に配置されるとき、前記電子現像型記録媒体の一端に対応した位置に配設されるラインセンサと、
前記撮影動作位置に配置された前記電子現像型記録媒体を、前記撮影動作位置から前記ラインセンサの長手方向とは異なる方向に移動させる記録媒体移動機構と、
前記記録媒体移動機構による前記電子現像型記録媒体の前記撮影動作位置からの移動中、前記電子現像型記録媒体に現像された画像を前記ラインセンサで読み取る画像読取手段とを備えた
ことを特徴とする画像信号入力装置。
【請求項２】
複数の前記電子現像型記録媒体を前記記録媒体移動機構に移動方向に沿って配列させて保持する記録媒体ホルダを備えたことを特徴とする請求項１に記載の画像信号入力装置。
【請求項３】
前記電子現像型記録媒体が、画像に応じた電荷が発生する静電情報記録媒体と、この電荷に応じて可視像が発生するとともにこの可視像を保持可能な電荷保持媒体とを有することを特徴とする請求項１に記載の画像信号入力装置。
【請求項４】
前記電荷保持媒体が分散型液晶表示素子であることを特徴とする請求項２に記載の画像信号入力装置。
【請求項５】
前記第２の光学系は、前記電子現像型記録媒体とラインセンサの間に位置することを特徴とする請求項４に記載の画像信号入力装置。
【発明の詳細な説明】
【０００１】
【発明の属する技術分野】
本発明は、例えばスチルカメラに設けられ、撮影レンズにより得られた光学像を可視像として保持するとともに、この可視像に応じた画像信号を生成する装置に関する。
【０００２】
【従来の技術】
従来光学像を記録する材料として、銀塩写真材料が広く用いられている。銀塩写真材料は、光感度および解像度が高く、また経済性も優れている等の特徴を備えているが、現像処理が煩雑であるだけでなく、可視像が撮影と同時に得られないという欠点もある。現像処理を簡単にするために乾式現像法が開発されているが、この現像法においても、即時現像化すなわち撮影時に可視像を得ることは不可能である。
【０００３】
一方、非銀塩写真材料としては、電子写真材料、ジアゾ写真材料、フリーラジカル写真材料等が知られている。しかし、これらの写真材料において、銀塩写真材料のような特徴を備えていると同時に即時現像化が可能なものはない。なお、電子写真材料は乾式現像ができ、露光により得られた静電潜像をトナー等によって即時に現像できるので、複写機を中心として広く普及してきた。
【０００４】
さて、このような電子写真技術において近年、銀塩写真材料のように記録媒体自体が直接電子的に現像され、かつその現像された可視像が即時に得られる写真材料が開発されてきている。このような電子的に現像される記録媒体を、この明細書では電子現像型記録媒体と呼ぶ。
【０００５】
例えば特開平５−２２８０号公報には、静電情報記録媒体と電荷保持媒体とを組み合わせた記録媒体が開示されており、静電情報記録媒体は光導電層と無機酸化物層を有し、電荷保持媒体は液晶表示素子を有している。この構成では、静電情報記録媒体と電荷保持媒体に電圧が印加された状態で静電情報記録媒体が露光されると、入射光量に応じた電荷が静電情報記録媒体に生成される。静電情報記録媒体に対向して配置された液晶表示素子にかかる電界の強さは、その生成電荷に応じて変化するので、液晶表示素子には光量分布に応じた画像が表示すなわち現像される。
【０００６】
特開平５−１５０２５１号公報には、液晶表示素子にかかる電界を除去しても液晶表示素子に表示された画像が保持される、分散型液晶表示素子が開示されている。
【０００７】
【発明が解決しようとする課題】
しかし従来、このような即時現像化ができる電子写真材料をカメラ等の光学機械に応用したものはなく、この電子写真材料により得られた画像を例えば電気的な信号に変換して出力できる装置の開発が望まれていた。
【０００８】
本発明は、簡単な構成によって静止画像の信号を生成することができ、しかも複数回の撮影動作を短時間の間に実施できる画像信号入力装置を提供することを目的としている。
【０００９】
【課題を解決するための手段】
本発明に係る画像信号入力装置は、第１の光学系と、この第１の光学系によって結像された画像を電子的に現像する電子現像型記録媒体と、この電子現像型記録媒体を照明する光源と、光源による照明によって電子現像型記録媒体を透過もしくは反射した光の経路の途中に設けられた第２の光学系と、この第２の光学系による画像の結像面に配置されたラインセンサと、電子現像型記録媒体とラインセンサの少なくとも一方を、ラインセンサの長手方向とは異なる方向に移動させる記録媒体移動機構とを備えたことを特徴としている。
【００１０】
記録媒体移動機構は、電子現像型記録媒体を移動させることが好ましい。また記録媒体移動機構は、電子現像型記録媒体を、例えばラインセンサが電子現像型記録媒体の一端に対応した位置から他端に対応した位置まで移動させる。
【００１１】
画像信号入力装置は、複数の電子現像型記録媒体を記録媒体移動機構に移動方向に沿って配列させて保持する記録媒体ホルダを備えていてもよい。
【００１２】
電子現像型記録媒体は例えば、画像に応じた電荷が発生する静電情報記録媒体と、この電荷に応じて可視像が発生するとともにこの可視像を保持可能な電荷保持媒体とを有する。電荷保持媒体は分散型液晶表示素子であってもよい。
【００１３】
第２の光学系は、前記電子現像型記録媒体とラインセンサの間に位置することが好ましい。
【００１４】
【発明の実施の形態】
以下、本発明の実施の形態を図面を参照して説明する。
図１は本発明の一実施形態を適用したスチルビデオカメラの外観図である。
【００１５】
カメラ本体１１を前方から見ると、前面の略中央には撮影レンズ等を備えた撮影光学系１２が設けられ、撮影光学系１２の右上方にはストロボ１３が配設されている。またストロボ１３とは反対側にはレリーズスイッチ１４が設けられている。ファインダ１５はカメラ本体１１の上面の中央部に設けられ、記録媒体移送スイッチ１６等の操作スイッチはファインダ１５の側方に設けられている。このカメラにより得られた画像信号を外部の記録装置等に出力するため、カメラ本体１１の側面の下部には出力端子１７が配設されている。またカメラ本体１１の側面には記録媒体ホルダ１００を挿入するためのスロット（挿通孔）１８が形成され、スロット１８の入口の近傍には、記録媒体ホルダ１００が係合することによってオン状態となるホルダ検出スイッチ１０５が設けられている。
【００１６】
図２はスチルビデオカメラのブロック図である。
システムコントロール回路２０はマイクロコンピュータであり、本スチルビデオカメラの全体の制御を行う。
【００１７】
撮影光学系１２には複数のレンズ群の他、絞り１２ａが設けられている。撮影光学系１２の後方には、電子現像型記録媒体３０ａ〜３０ｄ（図３参照）を保持する記録媒体ホルダ１００が配設され、撮影光学系１２と記録媒体ホルダ１００の間にはクイックリターンミラー２１が設けられ、クイックリターンミラー２１と記録媒体ホルダ１００の間にはシャッタ２２が設けられている。クイックリターンミラー２１の上方にはファインダ光学系２３のピント板２３ａが配設されている。
【００１８】
絞り１２ａ、クイックリターンミラー２１およびシャッタ２２は、それぞれアイリス駆動回路２４、ミラー駆動回路２５およびシャッタ駆動回路２６によって駆動され、これらの回路２４、２５、２６は露出制御回路２７により制御される。露出制御回路２７はシステムコントロール回路２０から出力される指令信号に従って動作する。すなわち、露出制御時、測光センサ２８からの出力信号に基づく露出制御回路２７の制御に従って、絞り１２ａはアイリス駆動回路２４により開度を調整される。クイックリターンミラー２１は通常、ダウン位置（実線により示される傾斜状態）に定められ、撮影光学系１２を通過した光をファインダ光学系２３に導いているが、撮影動作時、露出制御回路２７の制御に従い、ミラー駆動回路２５によって上方に回動せしめられアップ位置（破線により示される水平状態）に定められる。シャッタ２２は通常閉塞しているが、撮影動作時、露出制御回路２７の制御に従って、シャッタ駆動回路２６によって所定時間開放され、これにより撮影光学系１２を通過した光が記録媒体ホルダ１００に保持された電子現像型記録媒体３０ａ〜３０ｄ（図３）の１つの受光面に照射される。
【００１９】
記録媒体駆動回路４１の制御に基づいて、電子現像型記録媒体３０ａ〜３０ｄ（図３）のうち撮影光学系１２の後方に位置したものに電圧が印加され、この電圧印加の間に露光されることによって、その電子現像型記録媒体には、後述するように撮影光学系１２によって結像された画像が可視像として現像される。なお記録媒体駆動回路４１は、システムコントロール回路２０から出力される指令信号に従って動作する。
【００２０】
撮影光学系１２の光軸に平行に支持部材５０が設けられ、支持部材５０には、例えばＬＥＤ（発光素子）から成る光源４２とスキャナ光学系４３とラインセンサ４４がそれぞれ支持されている。スキャナ光学系４３は光源４２とラインセンサ４４の間に設けられている。記録媒体ホルダ１００は撮影光学系１２の光軸に直交する方向に移動自在に設けられ、光源４２とスキャナ光学系４３の間を移動する。ラインセンサ４４は、例えば２０００画素のＣＣＤ１次元センサ等を用いることができる。
【００２１】
記録媒体ホルダ１００は光源４２とスキャナ光学系４３の間を移動し、この移動によって、電子現像型記録媒体３０ａ〜３０ｄ（図３）により現像された画像は光源４２によって照明され、スキャナ光学系４３の作用によりラインセンサ４４の受光面に結像される。すなわちスキャナ光学系４３は、光源４２による照明によって電子現像型記録媒体３０ａ〜３０ｄを透過した光の経路の途中に設けられている。
【００２２】
光源４２のオンオフ制御は照明光源駆動回路４５により行われ、ラインセンサ４４に発生した画素信号の読出し動作等の制御はラインセンサ駆動回路４７により行われる。記録媒体ホルダ１００の移動の制御は移送機構４６により行われる。照明光源駆動回路４５、移送機構４６およびラインセンサ駆動回路４７はシステムコントロール回路２０により制御される。
【００２３】
ラインセンサ４４から読み出された画素信号は、アンプ６１により増幅され、Ａ／Ｄ変換器６２によってデジタル信号に変換される。デジタルの画素信号は、システムコントロール回路２０の制御に従って、画像処理回路６３においてシェーディング補正、ドロップアウト補正およびガンマ補正等の処理を施された後、メモリ６４に一時的に格納される。なおメモリ６４は、ラインセンサ４４から出力される１水平走査線分だけの記憶容量を有していてもよいが、１フレーム分の記憶容量を有するメモリであってもよい。また、メモリ６４はＥ２  ＰＲＯＭを備えており、このＥ２  ＰＲＯＭにはシェーディング補正等の補正値が格納される。
【００２４】
メモリ６４から読み出された画素信号は、画像処理回路６３からインターフェイス回路６５に入力されてフォーマットの変換等の所定の処理を施され、出力端子１７を介して外部のディスプレイ装置（図示せず）等に出力可能である。また画像処理回路６３から出力された画素信号は、記録装置制御回路６６において、画像圧縮あるいはフォーマットの変換等の所定の処理を施され、画像記録装置６７において例えばＩＣメモリカード等の記録媒体に記録可能である。インターフェイス回路６５と記録装置制御回路６６はシステムコントロール回路２０からの指令信号に従って動作する。
【００２５】
システムコントロール回路２０には、レリーズスイッチ１４と記録媒体移送スイッチ１６が接続され、これらのスイッチ１４、１６の操作に従って、撮像動作および画像信号の読出し動作等が行われる。またシステムコントロール回路２０には、このスチルビデオカメラの種々の設定状態等を表示するための表示素子６８と、ストロボ１３の発光制御を行うためのストロボ駆動回路６９が接続されている。
【００２６】
図３は記録媒体ホルダ１００およびこれの近傍の構成を示す斜視図である。
光源４２は支持部材５０の一端に固定され、ラインセンサ４４は支持部材５０の他端に固定されている。光源４２とラインセンサ４４は記録媒体ホルダ１００の幅方向に沿って延びている。スキャナ光学系４３は支持部材５０のラインセンサ４４の近傍に設けられている。記録媒体ホルダ１００は光源４２とスキャナ光学系４３の間に設けられ、撮影光学系１２の光軸に直交する方向に延びている。記録媒体ホルダ１００の下面にはラック１０１が形成され、このラック１０１には、移送モータ１０２の出力軸に固定されたピニオン１０３が噛合している。したがってモータ１０２が駆動されると、ピニオン１０３の回転量に応じて記録媒体ホルダ１００が移動する。
【００２７】
記録媒体ホルダ１００には、例えば４つの電子現像型記録媒体３０ａ〜３０ｄが等間隔に設けられ、これらの電子現像型記録媒体３０ａ〜３０ｄは記録媒体ホルダ１００の移動方向に沿って配列されている。撮像動作時および非作動時等において、１つの電子現像型記録媒体３０ａ〜３０ｄの中心部が撮影光学系１２の光軸に略一致するように、記録媒体ホルダ１００は位置決めされている。また、この時、光源４２、スキャナ光学系４３およびラインセンサ４４は、電子現像型記録媒体３０ａ〜３０ｄの端部に対応した位置にある。
【００２８】
１回の撮影動作が終了し、記録媒体移送スイッチ１６が押下されると、移送モータ１０２が回動し、記録媒体ホルダ１００は、次の電子現像型記録媒体３０ａ〜３０ｄの中心部が撮影光学系１２の光軸に一致するまで移動する。すなわち電子現像型記録媒体３０ａ〜３０ｄは、ラインセンサ４４の長手方向とは異なる方向、すなわち長手方向に直交する方向に移動する。この移動動作において、それまで撮影光学系１２の後方に位置していた電子現像型記録媒体３０ａ〜３０ｄは、光源４２とスキャナ光学系４３の間を移動し、電子現像型記録媒体３０ａ〜３０ｄに現像されている画像がラインセンサ４４によって読み出される。なお、電子現像型記録媒体３０ａ〜３０ｄの撮影光学系１２に対する位置決めは、移送モータ１０２を駆動するパルス信号の数に基づいて行われ、このパルス信号の計数は、記録媒体ホルダ１００の先端１００ａがホルダ検出スイッチ１０５に係合した位置から行われる。
【００２９】
図４は電子現像型記録媒体３０ａ〜３０ｄの構成を示す図であり、これは特開平５−２２８０号公報に開示されたものと同じである。
すなわち電子現像型記録媒体３０ａ〜３０ｄは静電情報記録媒体３１と電荷保持媒体３２と電源３３とを備えている。静電情報記録媒体３１は、基板３４、電極層３５、無機酸化物層３６および光導電層３７を積層して成り、光導電層３７は電荷発生層３７ａと電荷輸送層３７ｂを重合させて構成される。電荷保持媒体３２は、液晶支持体３８と液晶電極層３９の間に液晶４０を封入して構成される。静電情報記録媒体３１の電荷輸送層３７ｂと電荷保持媒体３２の液晶支持体３８とは微小間隙をもって対向している。
【００３０】
電源３３は記録媒体駆動回路４１によりオンオフ制御され、電源３３がオン状態のとき、電極層３５と液晶電極層３９の間、すなわち静電情報記録媒体３１と電荷保持媒体３２に電圧が印加される。この電圧印加状態で静電情報記録媒体３１が露光されると、静電情報記録媒体３１には、画像に応じた電荷が発生する。この電荷に応じて、液晶４０に作用する電界の強さが変化するため、液晶４０には、その画像が可視像として表示され、被写体像が現像される。この電荷保持媒体３２は分散型液晶表示素子であり、現像された可視像は電界を除去しても保持される。分散型液晶表示素子は、加熱装置（図示せず）を用いて所定の温度に加熱することにより、現像された可視像を消去させることもでき、その場合は繰り返し同一記録媒体を用いることもできる。
【００３１】
図５は、撮像動作とラインセンサ４４からの画素信号の読出し動作とを示すタイミングチャートである。この図を参照して、本実施形態の作用を説明する。
【００３２】
レリーズスイッチ１４が押下されたことが検知されると（符号Ｓ１１）、測光センサ２８からの出力信号すなわち測光値が検出され、この測光値に基づいて露出演算が開始される（符号Ｓ１２）。また、レリーズスイッチ１４が押下されてから所定時間が経過した後、記録媒体駆動回路４１から記録媒体活性化信号が出力され（符号Ｓ１３）、これにより電源３３がオン状態となって静電情報記録媒体３１と電荷保持媒体３２に電圧が印加される。次いで露出演算が完了したことが確認されると（符号Ｓ１４）、この演算結果に従って撮像動作が行われる。
【００３３】
撮像動作では、まず絞り１２ａの開度が全開状態から所定開度まで変化し（符号Ｓ１５）、またクイックリターンミラー２１がダウン状態からアップ状態に変化する（符号Ｓ１６）。ミラー２１のアップ状態への変化と絞り１２ａの開度調整が完了したことが確認されると、シャッタ２２が開放する（符号Ｓ１７）。露出演算により求められた露出期間が経過し、露出が完了したことが検出されると、シャッタ２２が閉じる（符号Ｓ１８）。このシャッタ２２の閉塞動作の完了に伴い、ミラー２１がダウン状態に変化するとともに（符号Ｓ１９）、絞り１２ａが全開状態まで開放する（符号Ｓ２０）。そして、記録媒体活性化信号の出力が停止される（符号Ｓ２１）。
【００３４】
すなわち、記録媒体活性化信号は少なくともシャッタ２２が開放している間出力され、この間、電子現像型記録媒体３０ａ〜３０ｄのうち記録動作が行われるもの、すなわちシャッタ２２の後方に配置された電子現像型記録媒体に所定の電圧が印加される。そして、この状態で露光されることにより、電子現像型記録媒体には被写体像が可視像として現像される。この可視像は記録媒体活性化信号の出力が停止しても保持される。
【００３５】
ミラー２１と絞り１２ａが初期状態に復帰したことが確認されると、ミラー２１と絞り１２ａの駆動が停止され、この撮像動作は終了する。
【００３６】
次いで、記録媒体移送スイッチ１６が押されると、記録媒体ホルダ１００が移送され、電子現像型記録媒体によって現像された画像がラインセンサ４４によって読み出される。
【００３７】
すなわち、システムコントロール回路２０からスキャナ駆動指令信号が出力されたことが確認されると（符号Ｓ３１）、シャッタ２２が開放され（符号Ｓ３２）、光源４２が点灯される（符号Ｓ３３）。そして、スキャナ系駆動信号が出力されて（符号Ｓ３４）、移送モータ１０２が回転し、記録媒体ホルダ１００が移動し始める（符号Ｓ３５）。次いで、ラインセンサ駆動電源がオン状態となる（符号Ｓ３６）。
【００３８】
記録媒体ホルダ１００が所定量だけ変位し、ラインセンサ４４が読み出し開始位置に定められたことが確認されると、スキャナ系駆動信号の出力が停止され（符号Ｓ３７）、移送モータ１０２が停止される（符号Ｓ３８）。この停止動作は、例えば移送モータ１０２を回転駆動するためのパルス信号を計数すること等によって制御される。
【００３９】
次いで、ラインセンサ４４に対する露光が開始され、電荷蓄積が行われる（符号Ｓ３９）。例えば一定時間が経過したことを検知することにより、ラインセンサ４４の露光が完了したことが確認されると、ラインセンサ４４の読み出し走査が開始され、１水平走査線分の画素信号の出力が開始される（符号Ｓ４０）。そして移送モータ１０２を回転させるスキャナ系駆動信号が出力されて（符号Ｓ４１）、記録媒体ホルダ１００が移動し始める（符号Ｓ４２）。
【００４０】
この記録媒体ホルダ１００の移動中において、ラインセンサ４４の読み出し動作が終了したことが確認されると、その読み出し動作が停止される（符号Ｓ４３）。なお、この読み出し動作の終了は、例えばラインセンサ駆動回路４７から出力されるラインセンサ４４を駆動するためのパルス信号を計数することにより制御される。
【００４１】
記録媒体ホルダ１００が所定量だけ移動すると、ラインセンサ４４が次の水平走査線の位置に定められたと見做されてスキャナ系駆動信号の出力が停止され（符号Ｓ４４）、移送モータ１０２が停止される（符号Ｓ４５）。
【００４２】
このような動作が繰り返され、シャッタ２２の後方に位置する電子現像型記録媒体の画像を構成する全水平走査線の読み出し動作が行われる。全水平走査線の数は例えば２０００であり、例えば記録媒体ホルダ１００の停止動作を計数するカウンタを設け、このカウンタの値を判定することにより行われる。
【００４３】
このように本実施形態では、記録媒体ホルダ１００が所定時間の停止と所定量の移動とを繰り返しつつ、ラインセンサ４４が画像を検知することにより、電子現像型記録媒体３０ａ〜３０ｄによって現像された画像信号が読み出される。
【００４４】
このようにして全水平走査線の読み出しが完了すると（符号Ｓ５１）、ラインセンサ４４の駆動電源がオフ状態に切り換えられるとともに（符号Ｓ５２）、光源４２が消灯される（符号Ｓ５３）。そしてシャッタ２２が閉塞されるとともに（符号Ｓ５４）、スキャナ系駆動信号の出力が停止されて（符号Ｓ５５）移送モータ１０２が停止され、記録媒体ホルダ１００が停止される（符号Ｓ５６）。
【００４５】
次いで記録媒体ホルダ１００は、次の電子現像型記録媒体が撮影光学系１２の光軸に対応する位置まで移動され、位置決めされる。そして上述した撮影動作と読出動作が繰り返され、全ての電子現像型記録媒体に対する露光が行われる。これにより、表示素子６８において、全ての記録媒体の記録が完了したことが表示され、排出スイッチ１９が押されると、電子現像型記録媒体３０ａ〜３０ｄはスロット１８から排出される。
【００４６】
以上のように本実施形態によれば、レリーズスイッチ１４を操作することによって電子現像型記録媒体３０ａ〜３０ｄの電荷保持媒体３２（分散型液晶表示素子）に被写体像が現像され、この被写体像は、その後、記録媒体ホルダ１００を移動させつつラインセンサ４４を駆動することにより検出され、画像記録装置６７等によってＩＣメモリカード等の記録媒体に記録される。電子現像型記録媒体３０ａ〜３０ｄとラインセンサ４４との組合せから成る画像信号検出系は、ＣＣＤから成る２次元センサ（エリアセンサ）と比較して小形かつ安価であり、したがって、特に高精細画像を得る場合にその効果は大きい。また電荷保持媒体３２に画像が保持されるため、ラインセンサ４４による画像の読み取り動作は比較的遅くてもよく、読み出された画像信号を処理するための回路構成を複雑にする必要はない。
【００４７】
さらに本実施形態によれば、記録媒体ホルダ１００を移動させる間に電子現像型記録媒体の画像が読み出されるので、次の電子現像型記録媒体が撮影光学系１２の後方に位置決めされると同時に、この電子現像型記録媒体への撮像動作を開始することができる。また、記録媒体ホルダ１００を移動させる構成によると、ラインセンサ４４を移動させる構成とは異なり、撮影動作毎にラインセンサ４４を初期位置に戻す必要がないので、次の撮影動作を迅速に開始することができる。すなわち本実施形態によれば、複数回の撮影動作を短時間の間に実施することができる。
【００４８】
なお、電子現像型記録媒体３０ａ〜３０ｄは上述した構成のものに限定されず、画像を電子的に現像するものであれば、他の構成であってもよい。
【００４９】
また本発明は、上記実施形態のように一眼レフカメラに限定されず、レンズシャッタ式カメラにも適用できる。なおレンズシャッタ式カメラの場合には上記実施形態のようにスキャナ系駆動時に再びシャッタ２２を開放する必要はない。
【００５０】
さらに本発明は、電子現像型記録媒体の画像を読み出すために、電子現像型記録媒体を変位させるのではなく、ラインセンサ４４を変位させるように構成してもよい。
【００５１】
スキャナ光学系４３は、単レンズの他、マイクロレンズアレー、セルフォックスレンズアレー等を利用することができる。
【００５２】
またラインセンサ４４は、電子現像型記録媒体３０ａ〜３０ｄにおいて反射した光を検出するように配設されていてもよい。
【００５３】
【発明の効果】
以上のように本発明によれば、簡単な構成によって静止画像の信号を生成することができ、しかも複数回の撮影動作を短時間の間に実施できる。
【図面の簡単な説明】
【図１】本発明の一実施形態を適用したスチルビデオカメラの外観図である。
【図２】図１のスチルビデオカメラの回路構成を示すブロック図である。
【図３】記録媒体ホルダおよびこれの近傍の構成を示す斜視図である。
【図４】電子現像型記録媒体の構成を示す図である。
【図５】撮像動作とラインセンサからの画素信号の読出し動作とを示すタイミングチャートである。
【符号の説明】
１２  撮影光学系（第１の光学系）
３０ａ〜３０ｄ    電子現像型記録媒体
４２  光源
４３  スキャナ光学系（第２の光学系）
４４  ラインセンサ
５０  支持部材
１００  記録媒体ホルダ
【図１】
0003548305.tif 000002
【図２】
0003548305.tif 000003
【図３】
0003548305.tif 000004
【図４】
0003548305.tif 000005
【図５】
0003548305.tif 000006